(57)【要約】【課題】携帯型画像通信装置において自機側の操作のみで表示画面の縦長、横長へ切り替えることにより、画面を分割し複数の画像を同時に表示する場合に画像および画面において無効となる部分を減少させる。【解決手段】自機画像横転表示信号を信号送信部にて相手側画像通信装置へ送信する。自画像情報は自機と相手機の画像横転表示信号より相手画像通信装置の要求する画像に処理後送信し、画像通信装置は画面１１９を縦長、横長に使用して相手画像１２１を表示する。画像処理部は画像合成指示信号がＯＦＦの時相手画像情報を出力し、ＯＮの時自画像情報と相手画像情報を画像合成部で合成、回転、縮小した処理画像情報を出力し表示する。相手画像３３１を表示する時、画面３２９を横長に使用し、相手画像３３１と自画像３３２を同時に表示する時、画面３２９を縦長に使用する。【選択図】図１
2004274787.tif 000002
【特許請求の範囲】
【請求項１】
自画像を撮影し自画像情報を生成する画像撮影手段と、
前記自画像情報を相手側画像通信装置へ送信する画像情報送信手段と、
前記相手側画像通信装置から送信される画像情報を受信し、相手画像情報を生成する画像情報受信手段と、
前記相手画像情報を表示する画像表示手段を具備した画像通信装置であって、
前記画像表示手段は、１つの画面を分割して複数の画像を表示する場合に、表示画面を画面の短辺に平行な少なくとも１本の平行線で分割し、表示画像を９０度回転させて同時に表示することを特徴とする画像通信装置。
【請求項２】
画像合成指示信号を生成する画像合成指示信号生成手段と、
前記自画像情報と前記相手画像情報を長辺が接するように合成し、前記画像通信装置の横転方向と逆方向へ９０度回転させ、画像が画面に収まる大きさまで縮小された表示画像情報を出力する画像処理手段と、
前記表示画像情報を表示する画像表示手段を有することを特徴とする請求項１記載の画像通信装置。
【請求項３】
前記画像処理手段は、前記自画像情報と前記相手画像情報を長辺が接するように合成した合成画像情報を出力する画像合成手段と、
前記合成画像情報を前記画像通信装置の横転方向と逆方向へ９０度回転させた回転画像情報を出力する画像回転手段と、
前記回転画像情報を画面に収まる大きさまで縮小した縮小画像情報を出力する画像縮小手段と、
前記画像合成指示信号がＯＦＦの時、前記相手画像情報を選択し、前記画像合成指示信号がＯＮの時、前記縮小画像情報を選択して前記表示画像情報として出力する画像選択手段を具備する請求項２記載の画像通信装置。
【請求項４】
前記画像合成指示信号生成手段は、画像合成指示信号のＯＮ、ＯＦＦを発生する切り替えスイッチを備えることを特徴とする請求項２記載の画像通信装置。
【請求項５】
前記画像合成指示信号生成手段は、本体の縦横方向を感知し、本体横転時に画像合成指示信号をＯＮにし、それ以外の時にＯＦＦにする本体方向感知手段から構成されることを特徴とする請求項２記載の画像通信装置。
【発明の詳細な説明】
【技術分野】
【０００１】
本発明は画像を通信する画像通信装置に関するものである。
【背景技術】
【０００２】
従来のテレビ電話等の画像通信装置は画像表示装置を固定し、縦長あるいは横長の画面に画像を表示している。画面の縦横の長さの比が異なる画像を表示する場合、画面の一部を空白にし画像を表示する方法、画像の一部を切りとり表示する方法、画像を縦横方向へ拡大縮小し縦横比を合わせて表示する方法がとられている。また、テレビ電話において自画像と受信画像を同時に表示する方法として特許文献１に開示されるように画面を分割して表示する方式が提案されている。図１４にこの従来例の表示方式による表示画面の例を示す。
【特許文献１】特開平２−６７８８８号公報
【発明の開示】
【発明が解決しようとする課題】
【０００３】
従来の画像通信装置では、あらかじめ定められた、一方向に長い画面しか表示することができない。そのため図１５に示すように縦に長い物体の全体像を撮影し、横に長い画面に表示した場合、図１６に示すように、横方向の余白部分が大きくなり、画面の面積に対して表示する物体の面積が小さくなる。つまり、図１７に示すように縦長の画面に表示する場合に比べ、被写体の像が小さくなる。横に長い物体の全体像を、縦に長い画面に表示する場合も、同様のことがいえる。
【０００４】
携帯型画像通信装置の場合、お互いの本体を逆方向に９０度回転させれば、画面の形を縦長と横長に切り替えて使用可能であるが、独自に画面の形を切り替えることはできない。
【０００５】
また、画面を分割し複数の画像を表示する場合、横長の画面を中央部で横に分割し、もとの横長の画像を縮小して全体が収まるように２つの画像を同時に表示すると図１８に示す斜線部分のように画像が表示されない空白の部分が生じる。
【０００６】
一方、画面を分割した形に合わせて画像を切りとり、２つの画像を同時に表示すると元の画像の１／２の部分が表示できない。以上のように画面を分割して複数の画像を表示する場合、表示画面、あるいは表示画像において無効となる部分が生じる。
【０００７】
そこで本発明は撮影する物体の形状に合わせて、表示画面を自機側で独自に縦長、横長に切り替えて表示し、複数の画像を表示画面を分割ことによって同時に表示する場合に無効となる部分を減少させることを目的とするものである。
【課題を解決するための手段】
【０００８】
請求項１記載の本発明は、１つの画面を分割して複数の画像を表示する場合に、表示画面を画面の短辺に平行な少なくとも１本の平行線で分割し、表示画像を９０度回転させて同時に表示する。これにより、Ａ：Ｂのアスペクト比の画面にＢ：Ａ／Ｎのアスペクト比の画像をＮ個表示できる（Ｎは自然数）。
【０００９】
請求項２記載の本発明は、画像通信装置を画像合成指示信号を生成する画像合成指示信号生成手段と、自画像情報と相手画像情報を長辺が接するように合成し、画像通信装置の横転方向と逆方向へ９０度回転させ、画像が画面に収まる大きさまで縮小された表示画像情報を出力する画像処理手段から構成し、表示画像情報を前記画像表示手段にて表示する。これにより、画像合成指示信号がＯＦＦの時、相手画像を表示し、画像合成指示信号がＯＮの時、自画像と相手画像を長辺が接するように合成し、逆方向へ９０度回転させ画像が画面に収まる大きさまで縮小して表示する。
【００１０】
請求項３記載の本発明は、請求項２記載の画像通信装置において画像処理手段を自画像情報と相手画像情報を長辺が接するように合成した合成画像情報を出力する画像合成手段と、合成画像情報を画像通信装置の横転方向と逆方向へ９０度回転させた回転画像情報を出力する画像回転手段と、回転画像情報を画面に収まる大きさまで縮小した縮小画像情報を出力する画像縮小手段と、画像合成指示信号がＯＦＦの時、相手画像情報を選択し、画像合成指示信号がＯＮの時、縮小画像情報を選択して表示画像情報として出力する画像選択手段から構成する。これにより、自画像情報と相手画像情報を長辺が接するように合成した合成画像情報を生成し、合成画像情報を画像通信装置の横転方向と逆方向へ９０度回転させた回転画像情報へ処理する。さらに回転画像情報を画面に収まる大きさまで縮小し、縮小画像情報にする。画像合成指示信号がＯＦＦの時、相手画像情報を選択し、画像合成指示信号がＯＮの時、縮小画像情報を選択して表示画像情報として出力する。
【００１１】
請求項４記載の本発明は、請求項２記載の画像通信装置において画像合成指示信号生成手段を切り替えスイッチにて構成し、切り替えスイッチにより画像合成指示信号のＯＮ、ＯＦＦを発生する。
【００１２】
請求項５記載の本発明は、請求項２記載の画像通信装置において画像合成指示信号生成手段を本体の縦横方向を感知し、本体横転時に画像合成指示信号をＯＮにし、それ以外の時にＯＦＦにする本体方向感知手段から構成する。
【発明の効果】
【００１３】
請求項１記載の発明により、画面と同じアスペクト比の画像を複数同時に表示する場合に、画面を回転させない時よりも大きく表示することが可能となる。
【００１４】
請求項２記載の発明により、自画像と相手画像を従来例より大きく表示できる。
【００１５】
請求項３記載の発明により、画像合成指示信号に従って相手画像と合成した画像を切り替えて表示できる。
【００１６】
請求項４記載の発明により、相手画像と合成した画像を切り替えスイッチで切り替えることができる。
【００１７】
請求項５記載の発明により、本体を横転させたり元に戻したりすることで合成した画像と相手画像を切り替えることができる。
【発明を実施するための最良の形態】
【００１８】
（実施の形態１）
以下、本発明の第１の実施の形態について図面を参照しながら説明する。
【００１９】
まず第１の実施の形態における構成について説明する。
【００２０】
図１（ａ）は、横長の画像を表示するときの第１の実施の形態の画像通信装置の使用状態を表し、図１（ｂ）は縦長の画像を表示するときの第１の実施の形態の画像通信装置の使用状態を表している。図１（ａ）を標準の使用状態とし、図１（ｂ）を本体を横転して使用している状態とする。
【００２１】
図２は第１の実施の形態の画像通信装置の構成図を表している。
【００２２】
画像撮影部１０３にて生成された自画像情報１０９は、画像処理部１０４にて画像横転表示信号発生部１０２から生成された自機画像横転表示信号１１０と、信号受信部１０６にて受信された相手機画像横転表示信号１１２に基づき送信画像情報１１３へ変換され、画像情報送信部１０５に入力される。
【００２３】
自機画像横転表示信号１１０は、信号送信部１０７へ入力され、画像情報受信部１０８にて生成された相手画像情報１１１は画像表示部１０１へ入力される。
【００２４】
図３は画像処理部１０４の構成図を表している。自機画像横転表示信号１１０と相手機画像横転表示信号１１２に基づき回転角算出部１１５にて回転角１１７が算出される。自画像情報１０９は回転角１１７に基づき画像回転部１１４にて回転画像情報１１８へ処理され、矩形領域抽出部１１６にて送信画像情報１１３へ処理される。
【００２５】
次に第１の実施の形態における、各部の動作について説明する。
【００２６】
画像撮影部１０３は自画像を撮影し、自画像情報１０９にする。画像横転表示信号発生部１０２は自機画像横転表示信号１１０を、本体を図１（ａ）の状態で使用する時ＯＦＦにし、本体を図１（ｂ）の状態で使用する時ＯＮにする。信号送信部１０７は自機画像横転表示信号１１０を相手側画像通信装置へ送信する。信号受信部１０６は相手側画像通信装置が送信する自機画像横転表示信号を受信し、相手機画像横転表示指示信号１１２を生成する。画像情報受信部１０８は相手側画像通信装置が送信する送信画像情報を受信し相手画像情報１１１を生成する。画像表示部１０１は相手画像情報１１１を画面に表示する。画像情報送信部１０５は送信画像情報１１３を相手画像通信装置へ送信する。
【００２７】
回転角算出部１１５は自機画像横転表示信号１１０がＯＦＦかつ相手機画像横転表示信号１１２がＯＦＦの時０度、自機画像横転表示信号１１０がＯＮかつ相手機画像横転表示信号１１２がＯＦＦの時か自機画像横転表示信号１１０がＯＦＦかつ相手機画像横転表示信号１１２がＯＮの時−９０度、自機画像横転表示信号１１０がＯＮかつ相手機画像横転表示信号１１２がＯＮの時１８０度とした回転角１１７を算出する。ただし、本体の横転方向、すなわち反時計回りを正回転方向とする。
【００２８】
画像回転部１１４は回転角１１７だけ自画像情報１０９を回転させ回転画像情報１１８を生成する。矩形領域抽出部１１６は回転画像情報１１８から表示画面に合わせた矩形領域を切りとり送信画像情報１１３を生成する。
【００２９】
図４は画像処理部１０４における動作例を表している。自機画像横転表示信号１１０がＯＦＦかつ相手機画像横転表示信号１１２がＯＦＦの時は５ａの順に、自機画像横転表示信号１１０がＯＮかつ相手機画像横転表示信号１１２がＯＦＦの時は５ｂの順に、自機画像横転表示信号１１０がＯＦＦかつ相手機画像横転表示信号１１２がＯＮの時は５ｃの順に、自機画像横転表示信号１１０がＯＮかつ相手機画像横転表示信号１１２がＯＮのときは５ｄの順に画像情報は推移していく。
【００３０】
以上により自機側の本体を動かすことなく相手側画像通信装置は縦長、横長の画像を表示することができ、同様に自機側も相手側本体を動かすことなく縦長、横長の画像を表示できるので、より見やすい映像を選択できる。
【００３１】
なお、第１の実施の形態においては本体を反時計回りに回転させて、縦長の画像を表示したが画像横転表示信号発生部１０２と回転角算出部１１５を時計回りを基準に対応させることにより本体を時計回りに回転させて縦長画像を表示できる。
【００３２】
さらに、第１の実施の形態においては図１（ａ）を標準の使用状態としたが、図１（ｂ）を標準の使用状態としても画像横転表示信号発生部１０２と回転角算出部１１５を対応させることにより同等の機能を実現できる。
【００３３】
（実施の形態２）
以下、本発明の第２の実施の形態について図面を参照しながら説明する。
【００３４】
まず第２の実施の形態の構成について説明する。
【００３５】
第２の実施の形態の画像通信装置の使用状態は第１の実施の形態と同じなので省略する。
【００３６】
図５は第２の実施の形態の画像通信装置の構成図を表している。画像撮影部２０３で生成された自画像情報２０９は、送信画像処理部２０４にて画像横転信号２１１に基づき送信画像情報２１２へ処理され、画像情報送信部２０７へ入力される。画像情報受信部２０６にて生成された相手画像情報２１０は表示画像処理部２０５にて画像横転表示信号２１１に基づき表示画像情報２０８へ処理され、画像表示部２０１に入力される。
【００３７】
図６は送信画像処理部２０４の構成図を表している。自画像情報２０９は画像横転表示信号２１１に基づき画像回転部２１３にて送信画像情報２１２へ処理される。
【００３８】
図７は表示画像処理部２０５の構成図を表している。相手画像情報２１０は画像横転表示信号２１１に基づき画像回転部２１４にて回転画像情報２１６へ処理され、矩形領域抽出部２１５にて表示画像情報２０８へ処理される。
【００３９】
次に第２の実施の形態における各部の動作について説明する。
【００４０】
画像撮影部２０３と画像情報送信部２０７と画像情報受信部２０６の動作は第１の実施の形態と同じであるので省略する。画像横転表示信号発生部２０２は画像横転表示信号２１１を、本体を図１（ａ）の状態で使用する時ＯＦＦにし、本体を図１（ｂ）の状態で使用する時ＯＮにする。画像表示部２０１は表示画像情報２０８を画面へ表示する。
【００４１】
画像回転部２１３は、自画像情報２０９を画像横転表示信号２１１がＯＦＦのとき回転処理を行わず出力し、ＯＮのとき時計回りに９０度回転させて出力し送信画像情報２１２とする。
【００４２】
図８は送信画像処理部２０４における動作例を表している。９ａは画像横転表示信号２１１がＯＦＦの時の動作例であり、９ｂは画像横転表示信号２１１がＯＮの時の動作例である。このように送信画像処理部２０４は本体がどの状態でも送信画像情報の上下方向が正しくなるように画像処理を行う。
【００４３】
画像回転部２１４は、相手画像情報２１０を画像横転表示信号２１１がＯＦＦのとき回転処理を行わず出力し、ＯＮのとき時計回りに９０度回転させて出力し回転画像情報２１６とする。回転画像情報２１６は、矩形領域抽出部２１５にて画面に合わせて切りとられ表示画像情報２０８となる。
【００４４】
図９は表示画像処理部２０５における動作例を表している。１０ａは画像横転表示信号２１１がＯＦＦの時の動作例であり、１０ｂは画像横転表示信号２１１がＯＮの時の動作例である。このように表示画像処理部２０５は本体の使用状態に応じた表示画像情報２０８が得られるように画像処理を行う。
【００４５】
以上より相手側本体を動かすことなく自機側の操作のみで縦長、横長の画像を表示でき、より見やすい画像を選択することができる。
【００４６】
なお、第２の実施の形態においては本体を反時計回りに回転させて、縦長の画像を表示したが画像横転表示信号発生部２０２と画像回転部２１３、２１４を時計回りを基準に対応させることにより本体を時計回りに回転させて縦長画像を表示できる。
【００４７】
さらに第２の実施の形態においては図１（ａ）を標準の使用状態としたが、図１（ｂ）を標準の使用状態としても画像横転表示信号発生部２０２と画像回転部２１３、２１４を対応させることにより同等の機能を実現できる。
【００４８】
（実施の形態３）
以下、本発明の第３の実施の形態について図面を参照しながら説明する。
【００４９】
まず第３の実施の形態における構成について説明する。
【００５０】
図１（ｃ）は相手画像のみを表示するときの第３の実施の形態の画像通信装置の使用状態を表し、図１（ｄ）は相手画像と自画像を同時に表示するときの使用状態を表している。
【００５１】
図１０は第３の実施の形態の画像通信装置の構成図を表している。画像撮影部３０３にて生成された自画像情報３０８は画像送信部３０４へ入力される。画像情報受信部３０５にて生成された相手画像情報３０９は、画像合成指示信号３１０に基づき画像処理部３０６にて自画像情報３０８と処理され表示画像情報３０７となり画像表示部３０１へ入力される。
【００５２】
図１１は画像処理部３０６の構成図を表している。自画像情報３１５と相手画像情報３１６は画像合成部３１１へ入力され、合成画像情報３１８が生成される。
【００５３】
合成画像情報３１８は画像回転部３１２へ入力され回転画像情報３１９が生成される。回転画像情報３１９は画像縮小部３１３へ入力され縮小画像情報３２０が生成されるとなる。縮小画像情報３２０と相手画像情報３１６は画像選択部３１４に入力され、画像合成指示信号３１７に基づき画像選択部３１４から表示画像情報３２１が生成される。
【００５４】
次に第３の実施の形態における各部の動作について説明する。
【００５５】
画像撮影部３０３と画像情報受信部３０５の動作は第１の実施の形態と、画像情報送信部３０４と画像表示部３０１の動作は第２の実施の形態と同じなので省略する。画像合成指示信号生成部３０２において、相手側の画像のみを表示するときにはＯＦＦ、相手側の画像と自画像を同時に表示するときにはＯＮの画像合成指示信号３１０を生成する。
【００５６】
画像合成部３１１では、自画像情報３１５と相手画像情報３１６を長辺が接するように合成し合成画像情報３１８を生成する。画像回転部３１２では合成画像情報３１８を時計回りに９０度回転させ回転画像情報３１９を生成する。画像縮小部３１３は、回転画像情報３１９を画面の中に収まる大きさまで縮小し縮小画像情報３２０を生成する。画像選択部３１４は画像合成指示信号３１７がＯＦＦのとき相手画像情報３１６を、ＯＮのとき縮小画像情報３２０を表示画像情報３２１として出力する。
【００５７】
図１２は画像処理部３０６における画像合成部３１１から画像縮小部３１３までの動作例である。相手画像情報３２２と自画像情報３２３は画像合成部３１１にて合成され合成画像情報３２４となり、画像回転部３１２にて回転され回転画像情報３２５となり、画像縮小部３１３にて縮小され縮小画像情報３２６となる。この後、画像選択部３１４にて相手画像情報３２２か縮小画像情報３２６が選択され画像表示部３０１にて画面に表示される。
【００５８】
図１３は従来方法と比べてどれだけ第３の実施の形態の画像が大きく表示できるか比較したものである。第３の実施の形態の画面のアスペクト比を４：３とすると、従来方法では画像３２７のようになり画面の１／２が画像となり、第３の実施の形態では画像３２８のようになり画面の８／９が画像となる。
【００５９】
以上のようにして、相手側の画像と自機側の画像を部分的に削除することなく同時に表示する時に、画面を横長に使うときよりも大きな見やすい画像を得ることができる。
【００６０】
（実施の形態４）
以下、本発明の第４の実施の形態について図面を参照しながら説明する。
【００６１】
まず第４の実施の形態における構成について説明する。
【００６２】
図１９は第４の実施の形態の画像通信装置の外観および使用状態を表している。４０１は切換スイッチ、４０２は画像通信装置の画面、４０３はカメラ、４０４は画面に表示された相手画像である。切換スイッチ４０１はロータリー式になっており図１９（ａ）の位置でＯＦＦ、図１９（ｂ）の位置でＯＮになる。
【００６３】
第４の実施の形態の画像通信装置の構成は第１の実施の形態と同様であるので省略する。
【００６４】
図２０は第４の実施の形態の画像横転表示信号発生部１０２の構成図を表している。切り替えスイッチ４０１は自機画像横転表示信号１１０を出力する。
【００６５】
次に第４の実施の形態における、各部の動作について説明する。切換スイッチ４０１を図１９（ａ）の位置にすると、自機画像横転表示信号１１０がＯＦＦになり、以後第１の実施の形態と同様に動作し、本体が図１９（ａ）の状態で画面４０２に相手画像４０４が上下方向正しく表示される。切換スイッチ４０１を図１９（ｂ）の位置にすると、自機画像横転表示信号１１０がＯＮになり、以後第１の実施の形態と同様に動作し、本体が図１（ｂ）の状態で画面４０２に相手画像４０４が上下方向正しく表示される。
【００６６】
このように第４の実施の形態では切り替えスイッチ４０１をＯＮ、ＯＦＦすることにより表示画面を横長、縦長に切り替えて使用できるようになる。なお、切換スイッチとしてロータリースイッチを用いたが、ＯＮ、ＯＦＦの２値を出力するものを代わりに用いることができ、例えばトグルスイッチでも、多点スイッチでも、スライドスイッチでもよい。
【００６７】
（実施の形態５）
以下、本発明の第５の実施の形態について図面を参照しながら説明する。
【００６８】
まず第５の実施の形態における構成について説明する。
【００６９】
第５の実施の形態の画像通信装置の使用状態は第１の実施の形態と同様であるので省略する。
【００７０】
また第５の実施の形態の画像通信装置の構成も第１の実施の形態と同様であるので省略する。
【００７１】
図２１は第５の実施の形態の画像横転信号発生部１０２の構成図を表している。５０１は本体方向感知部である。本体方向感知部５０１は自機画像横転表示信号１１０を出力する。
【００７２】
本体方向感知部５０１として、水銀スイッチを用い、図１（ａ）の状態の時ＯＦＦになり、図１（ｂ）の状態の時ＯＮになる位置に固定されているものとする。
【００７３】
次に第５の実施の形態における、各部の動作について説明する。
【００７４】
本体を図１（ａ）の状態にすると、本体方向感知部５０１はＯＦＦの信号を出力し、自機画像横転表示信号１１０をＯＦＦにする。以下第１の実施の形態と同様に動作し、画面１１９に相手画像１２１が上下方向正しく表示される。本体を図１（ｂ）の状態にした場合には、本体方向感知部５０１はＯＮの信号を出力し、自機画像横転表示信号１１０をＯＮにする。以下第１の実施の形態と同様に動作し、画面１１９に相手画像１２１が上下方向正しく表示される。
【００７５】
このように第５の実施の形態においては本体の状態を図１（ａ）、図１（ｂ）にすることで表示画面を横長、縦長に切り替えて使用できるようになる。なお本体方向感知部として水銀スイッチを用いたが、傾きの変化を感知するものを代わりに用いることができ、例えば角度センサーでも、重力スイッチでもよい。
【産業上の利用可能性】
【００７６】
本発明は撮影する物体の形状に合わせて複数の画像を表示画面を分割することによって同時に表示することができるので、画像を通信する画像通信装置等に利用できる。
【図面の簡単な説明】
【００７７】
【図１】（ａ）は本発明の第１、第２、および第５の実施の形態における横長画像を表示するときの使用状態を示す図（ｂ）は本発明の第１、第２、および第５の実施の形態における縦長画像を表示するときの使用状態を示す図（ｃ）は本発明の第３の実施の形態における相手画像のみを表示するときの使用状態を示す図（ｄ）は本発明の第３の実施の形態における相手画像と自画像を同時に表示するときの使用状態を示す図
【図２】本発明の第１の実施の形態における画像通信装置の構成図
【図３】本発明の第１の実施の形態における画像処理部の構成図
【図４】本発明の第１の実施の形態における画像処理部の動作を説明する図
【図５】本発明の第２の実施の形態における画像通信装置の構成図
【図６】本発明の第２の実施の形態における送信画像処理部の構成図
【図７】本発明の第２の実施の形態における表示画像処理部の構成図
【図８】本発明の第２の実施の形態における送信画像処理部の動作を説明する図
【図９】本発明の第２の実施の形態における表示画像処理部の動作を説明する図
【図１０】本発明の第３の実施の形態における画像通信装置の構成図
【図１１】本発明の第３の実施の形態における画像処理部の構成図
【図１２】本発明の第３の実施の形態における画像処理部の動作を説明する図
【図１３】本発明の第３の実施の形態における効果を説明する図
【図１４】従来例の表示方式を示す図
【図１５】縦長物体の全体像を示す図
【図１６】従来例の表示方式で縦長物体を横長画面に表示した図
【図１７】従来例の表示方式で縦長物体を縦長画面に表示した図
【図１８】従来例の表示方式で複数の画像を表示した図
【図１９】本発明の第４の実施の形態における画像通信装置の外観および使用状態を表す図
【図２０】本発明の第４の実施の形態における画像横転表示信号発生部の構成図
【図２１】本発明の第５の実施の形態における画像横転表示信号発生部の構成図
【符号の説明】
【００７８】
１０３，２０３，３０３    画像撮影部
１０５，２０７，３０４    画像情報送信部
１０８，２０６，３０５    画像情報受信部
１０１，２０１，３０１    画像表示部
１０２，２０２    画像横転表示信号発生部
１０７    信号送信部
１０６    信号受信部
１０４，３０６    画像処理部
１０９，２０９，３０８，３１５，３２３    自画像情報
１１０    自機画像横転表示信号
１１１，２１０，３０９，３１６，３２２    相手画像情報
１１２    相手機画像横転表示信号
１１３，２１２    送信画像情報
１１４，２１３，２１４，３１２    画像回転部
１１５    回転角算出部
１１６，２０５    矩形領域抽出部
１１９，３２９，４０２    画面
１２０，３３０，４０３    カメラ
１２１，３３１，４０４    相手画像
２０４    送信画像処理部
２０５    表示画像処理部
２１１    画像横転表示信号
２１３，２１４    画像回転部
３０２    画像合成指示信号生成部
３１０，３１７    画像合成指示信号
３１１    画像合成部
３１２    画像回転部
３１３    画像縮小部
３１４    画像選択部
３１８，３２４    合成画像情報
３１９，３２５    回転画像情報
３２０，３２６    縮小画像情報
３３２    自画像
４０１    切換スイッチ
５０１    本体方向感知部
【図１】
2004274787.tif 000003
【図２】
2004274787.tif 000004
【図３】
2004274787.tif 000005
【図４】
2004274787.tif 000006
【図５】
2004274787.tif 000007
【図６】
2004274787.tif 000008
【図７】
2004274787.tif 000009
【図８】
2004274787.tif 000010
【図９】
2004274787.tif 000011
【図１０】
2004274787.tif 000012
【図１１】
2004274787.tif 000013
【図１２】
2004274787.tif 000014
【図１３】
2004274787.tif 000015
【図１４】
2004274787.tif 000016
【図１５】
2004274787.tif 000017
【図１６】
2004274787.tif 000018
【図１７】
2004274787.tif 000019
【図１８】
2004274787.tif 000020
【図１９】
2004274787.tif 000021
【図２０】
2004274787.tif 000022
【図２１】
2004274787.tif 000023